(57)【要約】【課題】十分にコンパクトな形状で重量物を高く持ち上げることが可能な救助用ジャッキを提供する。【解決手段】基台１上に起立姿勢で設けられて上下方向へ伸縮可能なネジ式シリンダ部材２と、当該ネジ式シリンダ部材２を伸縮操作する回転操作部２１と、ネジ式シリンダ部材２の上端にその基端が固定されて下方へ向けて延出し、ネジ式シリンダ部材２の収縮端でその先端３２が基台１を設置した床面Ｌ付近に位置させられる支持腕とを備え、支持腕３の先端３２は略水平に屈曲して受け部となっている。【選択図】        図１
2020152548.tif 000002
【特許請求の範囲】
【請求項１】
基台上に起立姿勢で設けられて上下方向へ伸縮可能なネジ式シリンダ部材と、  当該ネジ式シリンダ部材を伸縮操作する操作機構と、前記ネジ式シリンダ部材の上端にその基端が固定されて下方へ向けて延出し、前記ネジ式シリンダ部材の収縮端でその先端が前記基台を設置した床面付近に位置させられる支持腕とを備え、前記支持腕の先端は略水平に屈曲して受け部となっている救助用ジャッキ。
【請求項２】
前記基台の上面を傾斜させ、当該基台上に設けた前記ネジ式シリンダ部材の傾斜方向に前記支持腕を設けた請求項１に記載の救助用ジャッキ。
【請求項３】
前記基台に、前記シリンダ部材の傾斜方向へ突出する脚部を設け、前記受け部が受ける荷重によるモーメントで前記脚部の先端を支点に、脚部を形成した側と反対側の基台端縁が持ち上がるようにした請求項２に記載の救助用ジャッキ。
【請求項４】
前記支持腕の基端に下方へ開放する凹所が形成されており、当該凹所を前記ネジ式シリンダ部材の上端に上方から被せ、前記凹所の対向する側壁と前記ネジ式シリンダ部材の上端を、水平方向へ貫通させたピン体によって結合するとともに、前記支持腕が延出する側と反対側の端壁を前記ネジ式シリンダ部材の上端に溶接固定した請求項１ないし３のいずれかに記載の救助用ジャッキ。
【請求項５】
前記支持腕の基端の上面に滑り止め部を形成して当該上面を受け面とした請求項１ないし４のいずれかに記載の救助用ジャッキ。
【請求項６】
前記支持腕の一部に、前記ネジ式シリンダ部材の収縮時に前記基台の一部に当接して前記ネジ式シリンダのそれ以上の収縮を規制し前記収縮端とするストッパ部材を設けた請求項１ないし５のいずれかに記載の救助用ジャッキ。
【発明の詳細な説明】
【技術分野】
【０００１】
本発明は地震時に倒れた家具等の重量物の下敷きになった人を救助するための救助用ジャッキに関するものである。
【背景技術】
【０００２】
この種の用途に使用できるジャッキとしては例えば特許文献１に示されたようなものがあり、ここでは起立させたネジに、重量物の一部を支持する移動爪を装着して、ネジを回転させることによって上記移動爪を上昇移動させて重量物を持ち上げる構造が開示されている。
【先行技術文献】
【特許文献】
【０００３】
【特許文献１】特開２００７−２６１７８１
【発明の概要】
【発明が解決しようとする課題】
【０００４】
しかし、上記従来の構造では、起立させたネジの長さ範囲でしか移動爪を移動させることができず、移動爪の上昇移動量を十分確保しようとするとジャッキ全体の高さが高くなるためにコンパクトにならないという問題があった。
【０００５】
そこで、本発明はこのような課題を解決するもので、十分にコンパクトな形状で重量物を高く持ち上げることが可能な救助用ジャッキを提供することを目的とする。
【課題を解決するための手段】
【０００６】
上記目的を達成するために本第１発明では、基台（１）上に起立姿勢で設けられて上下方向へ伸縮可能なネジ式シリンダ部材（２）と、当該ネジ式シリンダ部材（２）を伸縮操作する操作機構（２１）と、前記ネジ式シリンダ部材（２）の上端にその基端が固定されて下方へ向けて延出し、前記ネジ式シリンダ部材（２）の収縮端でその先端（３２）が前記基台（１）を設置した床面（Ｌ）付近に位置させられる支持腕（３）とを備え、前記支持腕（３）の先端（３２）は略水平に屈曲して受け部となっている。
【０００７】
本第１発明によれば、上下方向へ伸縮可能なネジ式シリンダ部材を使用しているから収縮時には救助用ジャッキが十分コンパクトになり、搬送保管が容易である。特にネジ式シリンダ部材は油圧シリンダ等に較べて軽量でもある。そしてシリンダ部材の上端から下方へ向けて延びてその先端が床面付近に至る支持腕の先端を受け部としたから、重量物の下方に生じた間隙が小さい場合でもここへ受け部を挿入して重量物を持ち上げることができる。
【０００８】
本第２発明では、前記基台（１）の上面を傾斜させ、当該基台（１）上に設けた前記ネジ式シリンダ部材（２）の傾斜方向に前記支持腕（３）を設ける。
【０００９】
本第２発明によれば、重量物の一端を支持腕の受け部で持ち上げる際に、重量物が救助用ジャッキから離間する方向へ旋回上昇しても、ネジ式シリンダ部材はこの方向へ傾斜しているから受け部も重量物の離間方向へ追従して移動して、重量物の一端が受け部上から外れることがなく、確実な持ち上げ動作が行われる。
【００１０】
本第３発明では、前記基台（１）に、前記ネジ式シリンダ部材（２）の傾斜方向へ突出する脚部（１１１）を設け、前記受け部（３２）が受ける荷重によるモーメントで前記脚部（１１１）の先端を支点に、脚部（１１１）を形成した側と反対側の基台（１）端縁が持ち上がるようにする。
【００１１】
本第３発明によれば、重要物の持ち上げに伴って脚部の形成側と反対側の基台端縁が持ち上がるから、受け部がさらに重量物の移動方向へ追従して移動し、重量物の端部をさらに高く持ち上げても当該端部が支持腕の受け部上から外れることがさらに効果的に防止される。また、脚部の長さを適当に設定することによって、基台端縁が持ち上がり始める重量物の持ち上げ高さを最適に調整することができる。
【００１２】
本第４発明では、前記支持腕（３）の基端（３１）に下方へ開放する凹所（３１１）が形成されており、当該凹所（３１１）を前記ネジ式シリンダ部材（２）の上端（２４）に上方から被せ、前記凹所（３１１）の対向する側壁と前記ネジ式シリンダ部材（２）の上端（２４）を、水平方向へ貫通させたピン体（３１２）によって結合するとともに、前記支持腕（３）が延出する側と反対側の端壁（３１３）を前記ネジ式シリンダ部材（２）の上端（２４）に溶接固定する。
【００１３】
本第４発明によれば、支持腕の受け部で重量物を支持した際にその荷重はピン体周りのモーメントとなり、このモーメントは溶接部によって強固に受けられるから、重量物を持ち上げる際に大きな荷重が作用してもネジ式シリンダ部材の上端から支持腕の基端が離脱することはなく確実に固定される。
【００１４】
本第５発明では、前記支持腕（３）の基端（３１）の上面に滑り止め部（３１５）を形成して当該上面を受け面とする。
【００１５】
本第５発明によれば、支持腕の受け部で一定高さまで重量物を持ち上げた後に、さらに支持腕の基端、すなわちネジ式シリンダ部材の上端の受け面を使用して重量物をさらに高く持ち上げることが可能である。
【００１６】
本第６発明では、前記支持腕（３）の一部に、前記ネジ式シリンダ部材（２）の収縮時に前記基台（１）の一部に当接して前記ネジ式シリンダのそれ以上の収縮を規制し前記収縮端とするストッパ部材（３３）を設ける。
【００１７】
本第６発明によれば、ネジ式シリンダをその収縮端で確実に停止させることができる。
【００１８】
上記カッコ内の符号は、後述する実施形態に記載の具体的手段との対応関係を参考的に示すものである。
【発明の効果】
【００１９】
以上のように、本発明の救助用ジャッキによれば、十分にコンパクトな形状で重量物を高く持ち上げることができる。
【図面の簡単な説明】
【００２０】
【図１】本発明の一実施形態を示す救助用ジャッキの全体斜視図である。
【図２】救助用ジャッキの側面図である。
【図３】救助用ジャッキの平面図である。
【図４】救助用ジャッキの伸長時の正面図である。
【図５】シリンダ部材の上端部の拡大断面図である。
【図６】シリンダ部材の上端部の拡大側面図である。
【図７】シリンダ部材の上端部の拡大正面図である。
【図８】救助用ジャッキの使用状態を示す側面図である。
【図９】救助用ジャッキの使用状態を示す側面図である。
【発明を実施するための形態】
【００２１】
なお、以下に説明する実施形態はあくまで一例であり、本発明の要旨を逸脱しない範囲で当業者が行う種々の設計的改良も本発明の範囲に含まれる。
【００２２】
図１には本発明の救助用ジャッキの全体斜視図を示す。救助用ジャッキＪは詳細を以下に説明する基台１上に伸縮可能なネジ式シリンダ部材２（以下、単にシリンダ部材という）を起立姿勢で設けるとともに、当該シリンダ部材２の上端に、下方へ長く延びる支持腕３の上端(基端)３１を固定したものである。シリンダ部材２伸縮は、その下端側面に突設された回転操作部２１に図１に示す棒状ハンドル４の先端フック部４１を係止し、棒状ハンドル４の基端に交差するように装着されたＬ字操作棒４２を旋回操作することによって行う。
【００２３】
図２には救助用ジャッキＪの側面図を示し、図３にはその平面図を示す。救助用ジャッキＪの基台１は下方に位置する脚台１１とこれの上面に載置された受け台１２とで構成されている。脚台１１は左右位置（図３の上下）に脚部１１１を突出させた金属板成形体で、その上面は脚部１１１に向けて下り傾斜している（図２）。受け台１２は略矩形の金属板成形体で（図３）、その四隅が脚台１１にカシメピンに１３よって固定されている。
【００２４】
シリンダ部材２はケース体を備えており、ケース体は下半の椀部２２と上半の円筒部２３より構成されている。椀部２２は下方の開口縁が受け台１２にカシメ固定されており、その側面の筒状開口２２１（図２）から上記回転操作部２１が突出している。回転操作部２１には棒状ハンドル４（図1）の先端フック部４１を挿入する係止孔２１１が設けられている。回転操作部２１の内端には小径の傘歯車５１が装着されており、この傘歯車５１は椀部２２の開口内に配設された大径の傘歯車５２に噛合している。傘歯車５２は受け台１２に設けたスラスト軸受５３によって脚台１１の上面に平行に回転可能に支持されている。
【００２５】
シリンダ部材２の円筒部２３内には中心にネジ軸５４が位置し、その外周に内方から外方へ補助ネジ筒５５、内筒５６、外筒５７がそれぞれ位置している。内筒５６の上端は円筒部２３から上方へ突出してここがシリンダ部２の上端２４になっている。ネジ軸５４はその下端が傘歯車５２の中心に固定されている。以上のシリンダ部材２の構造は公知であり、例えば実願平9-6313号に開示されている。
【００２６】
回転操作部２１を棒状ハンドル４で一方へ回転操作すると傘歯車５１を介して傘歯車５２およびこれと一体のネジ軸５４が回転する。ネジ軸５４の回転に伴ってこれに沿って補助ねじ筒５５、および内筒５６が上昇する。補助ねじ筒５５がネジ軸５４の上端に至るとこれらは一体に回転するようになり、補助ねじ筒５５に螺合する内筒５６が外筒５７を引き上げつつ補助ねじ筒５５に沿って上昇させられる。内筒５６が上昇端に至った状態を図４に示し、シリンダ部材２は図２に示す収縮時からほぼ三倍の高さに伸長する。内筒５６を下降させシリンダ部材２を収縮させる場合には棒状ハンドル４を反対方向へ回転操作する。
【００２７】
図２において、シリンダ部材２にはその傾斜方向に支持腕３が設けられている。すなわち、支持腕３は本実施形態では鍛造成形された略矩形断面の棒状体で、傾斜して延びた上端（基端）３１が水平方向へ屈曲するとともに、下端（先端）３２は基端３１とは反対方向へ水平に屈曲して厚肉板状の受け部となっている。そして、シリンダ部材２が収縮した状態では、支持腕３先端の受け部３１はその下面が、基台１が設置された床面Ｌと平行にこれに近接して位置している。
【００２８】
支持腕３の基端３１には図５に示すようにシリンダ部材２の内筒５６の断面に倣った円形凹所３１１が形成されており、当該凹所３１１を内筒５６の上端（すなわちシリンダ部材２の上端２４）に上方から被せ、前記凹所３１１の図５の紙面前後方向で対向する各側壁と前記シリンダ部材２の上端２４に水平方向へ貫通する貫通孔を設けて、当該貫通孔内にスプリングピン３１２を挿入することによってシリンダ部材２の上端２４に支持腕３の基端３１を連結している。
【００２９】
そして、図６、図７に示すように、支持腕３が延出する側とは反対側の、凹所３１１の端壁３１３を内筒５６の上端にその全周の１／４以上の範囲で溶接して（符号３１４）固定してある。また、支持腕３の基端３１の上面には平行に延びる一対の滑り止め部３１５が突出形成されて、当該基端３１上面を重量物の受け面として利用できるようになっている。
【００３０】
このような構造によると、支持腕３の先端の受け部３２で重量物を支持した際にその荷重は支持腕３の基端３１のスプリングピン３１２周りのモーメントとなるが、このモーメントは溶接部３１４によって強固に受けられる。これにより、重量物を持ち上げる際に大きな荷重が作用しても内筒５６の上端から支持腕３の基端３１が離脱することはない。
【００３１】
また、支持腕３の先端部背面には三角形状のストッパ部３３（図２）が突設されており、シリンダ部材２の収縮時にその直角壁が受け台１２の周縁に当接して、それ以上のシリンダ部材２の収縮作動を規制している。
【００３２】
このような構造の救助用ジャッキＪで重量物Ｍを持ち上げる際の作動を、図８、図9を参照して説明する。救助用ジャッキＪのシリンダ部材２を収縮させた状態では図８（１）に示すように、支持腕３先端の受け部３２はその下面が、基台１が設置された床面Ｌに近接するまで下降して脚台１１の左右の脚部１１１間に位置している。この状態で救助用ジャッキＪを重量物Ｍに近づけて、その受け部３２を、被救助者が下敷き等になって重量物Ｍと床面Ｌの間に生じている隙間Ｓに挿入する。
【００３３】
そして棒状ハンドル４で回転操作部２１を回転させてシリンダ部材２を伸長させると（図８（２））重量物Ｍは上昇する支持腕３の受け部３２によって持ち上げられる。この際、重量物Ｍは隙間Ｓが生じた部分とは反対位置の、床面Ｌと接している部分(図示略)を中心に上方へ旋回するように持ち上がる（図中の白矢印）。このため重量物Ｍは救助用ジャッキＪから離間する方向へ移動するが、本実施形態ではシリンダ部材２がこの方向へ傾斜しているため、支持腕３の上昇に伴ってその受け部３２も重量物Ｍの移動方向へ追従して移動する。これにより、受け部３２に支持された重量物Ｍの端部が受け部３２上から外れることはなく確実な持ち上げ動作が行われる。
【００３４】
さらにシリンダ部材２が伸長して重量物Ｍが高く持ち上げられると、傾斜するシリンダ部材２全体に重量物Ｍの荷重によるモーメントを生じて基台１の脚部１１１の先端を支点に図９に示すように脚部１１１の形成側と反対側の基台１の端縁が持ち上がり（図中黒矢印）受け部３２がさらに重量物Ｍの移動方向へ追従して移動する。これにより重量物Ｍの端部が受け部３２上から外れることが防止されてさらに確実な持ち上げ動作が行われる。なお、この動作は特に脚部１１１を設けなくても実現できるが、脚部１１１の長さを適当に定めることによって上記動作が生じる持ち上げ高さ等を最適に調整することができる。
【００３５】
なお、シリンダ部材は上述した二段伸縮式のものに限られるものではない。
【符号の説明】
【００３６】
１…基台、１１…脚台、１１１…脚部、１２…受け台、２…ネジ式シリンダ部材、２１…回転操作部（操作機構）、２４…上端、３…支持腕、３１…基端、３１１…凹所、３１２…スプリングピン（ピン体）、３１３…端壁、３１５…滑り止め部、３２…先端（受け部）、３３…ストッパ部材、Ｌ…床面。
【図１】
2020152548.tif 000003
【図２】
2020152548.tif 000004
【図３】
2020152548.tif 000005
【図４】
2020152548.tif 000006
【図５】
2020152548.tif 000007
【図６】
2020152548.tif 000008
【図７】
2020152548.tif 000009
【図８】
2020152548.tif 000010
【図９】
2020152548.tif 000011